(57)【要約】【課題】デブリが発生する状況において、サンプスクリーン体に向かう冷却液の流れを維持することが可能な、原子炉格納構造を提供する。【解決手段】本発明の原子炉格納構造１００は、原子炉格納容器１０と、そのプール室６０床面のサンプ６１に流入する冷却液Ｌからデブリを分離するサンプスクリーン体３０と、冷却液Ｌからデブリを捕集するデブリ捕集装置４０とを備え、デブリ捕集装置４０が、サンプ６１に向かう冷却液の流通方向に交差して延び、流通方向に間隔をあけて複数設けられ、流通方向に貫通する開口部が形成された捕集体を備え、流通方向に互いに隣り合う捕集体の開口部は、床面と平行に捕集体の延びる方向にずれている。【選択図】図１
2018205017.tif 000002
【特許請求の範囲】
【請求項１】
原子炉が格納される原子炉格納室、および、事故時の前記原子炉への注水のために保有され、床面にサンプが設けられている再循環プール室または圧力調整プール室、を備える原子炉格納容器と、
前記サンプの周りを囲むように設けられた台座に設置され、前記サンプに流入する前記冷却液に含まれるデブリを分離するためのサンプスクリーン体と、
前記床面に設置されて、前記サンプに向かって流れる冷却液からデブリを捕集するデブリ捕集装置と、を備え、
前記デブリ捕集装置が、前記サンプに向かって流れる冷却液の流通方向に交差して延びるとともに、前記流通方向に間隔をあけて複数設けられ、前記流通方向に貫通する開口部が形成された捕集体を備え、
前記流通方向に互いに隣り合う捕集体の開口部は、前記床面と平行に捕集体の延びる方向にずれて形成されていることを特徴とする原子炉格納構造。
【請求項２】
前記捕集体が、平板状の多孔部材で構成されていることを特徴とする請求項１に記載の原子炉格納構造。
【請求項３】
前記捕集体が、前記平板状の多孔部材を厚さ方向に複数重ねてなることを特徴とする請求項２に記載の原子炉格納構造。
【請求項４】
前記捕集体が、中空の多孔部材で構成されていることを特徴とする請求項１に記載の原子炉格納構造。
【請求項５】
前記多孔部材が、前記床面と垂直な方向に複数の部材を連結してなり、前記床面から遠い位置にある部材ほど、細孔径が小さいことを特徴とする請求項２〜４のいずれか一項に記載の原子炉格納構造。
【請求項６】
各々の前記捕集体は、その床面と平行な延在方向において所定の間隔おきに、かつ前記流通方向に平行に貫通するように設置された仕切り板で、分割されていることを特徴とする請求項１〜５のいずれか一項に記載の原子炉格納構造。
【請求項７】
前記捕集体の開口部の周囲に、前記冷却液の流通方向の下流側に突出する衝立が設けられていることを特徴とする請求項１〜６のいずれか一項に記載の原子炉格納構造。
【発明の詳細な説明】
【技術分野】
【０００１】
本発明は、原子炉格納構造に関する。
【背景技術】
【０００２】
原子力発電プラントに設けられた原子炉の格納容器内で、１次系配管破断等の苛酷事故が発生した場合、破断した箇所から格納容器内の底部に向けて、炉心の冷却液が流出する。流出した冷却液は、格納容器内の底部を伝って、多孔板等で構成されるスクリーン（再循環サンプスクリーン）まで流れ、そこで濾過された後に炉心へ戻ることにより、循環システムを構成している。
【０００３】
配管の破断が発生した場合、冷却液の流出に伴って、配管周りの保温材、格納容器内の塗装や累積異物等（以下、「デブリ」という）が周囲に飛散し、格納容器内の底部に落下して、冷却液に含まれた状態で再循環サンプスクリーンまで流れる。再循環サンプスクリーンにおいては、冷却液が濾過される際に、冷却液に含まれているデブリが捕捉される。そのため、デブリ捕捉量が増大した場合には、圧損上昇、更には閉塞が発生して、再循環サンプスクリーンの機能が低減する虞があり、その結果として、循環する冷却液の量が減少し、炉心冷却に必要な量を確保できない状況となることが懸念される。
【０００４】
デブリによる再循環サンプスクリーンの機能低減を防ぐ手段として、格納容器底部の冷却液の流路において、再循環サンプスクリーンより上流側の位置に、デブリを捕捉するデブリ補足体を設置する提案がなされている（特許文献１）。しかしながら、再循環サンプスクリーンに向かう冷却液の流れは、格納容器底部の構造体の下流域で剥離渦が発生することにより、あらゆる方向へと流れる乱流となる。この場合、捕捉体に向かって流れないデブリが発生することになり、全てのデブリを捕捉することが難しい状況となる。また、捕捉体が、先に到達したデブリによって覆われている場合には、後に到達したデブリを捕捉することが難しい状況となる。
【先行技術文献】
【特許文献】
【０００５】
【特許文献１】特開２０１５−３６６８７号公報
【発明の概要】
【発明が解決しようとする課題】
【０００６】
本発明は上記事情に鑑みてなされたものであり、デブリが発生する状況において、サンプスクリーン体に向かう冷却液の流れを維持することが可能な、原子炉格納構造を提供することを目的とする。
【課題を解決するための手段】
【０００７】
上記課題を解決するため、本発明は以下の手段を採用している。
【０００８】
（１）本発明の一態様に係る原子炉格納構造は、原子炉が格納される原子炉格納室、および、事故時の前記原子炉への注水のために保有され、床面にサンプが設けられている再循環プール室または圧力調整プール室、を備える原子炉格納容器と、前記サンプの周りを囲むように設けられた台座に設置され、前記サンプに流入する前記冷却液に含まれるデブリを分離するためのサンプスクリーン体と、前記床面に設置されて、前記サンプに向かって流れる冷却液からデブリを捕集するデブリ捕集装置と、を備え、前記デブリ捕集装置が、前記サンプに向かって流れる冷却液の流通方向に交差して延びるとともに、前記流通方向に間隔をあけて複数設けられ、前記流通方向に貫通する開口部が形成された捕集体を備え、前記流通方向に互いに隣り合う捕集体の開口部は、前記床面と平行に捕集体の延びる方向にずれて形成されている。
（２）前記（１）に記載の原子炉格納構造において、前記捕集体が、平板状の多孔部材で構成されていてもよい。
（３）前記（１）または（２）のいずれかに記載の原子炉格納構造において、前記捕集体が、前記平板状の多孔部材を厚さ方向に複数重ねてなっていてもよい。
（４）前記（１）〜（３）のいずれか一つに記載の原子炉格納構造において、前記捕集体が、中空の多孔部材で構成されていてもよい。
（５）前記（１）〜（４）のいずれか一つに記載の原子炉格納構造において、前記多孔部材が、前記床面と垂直な方向に複数の部材を連結してなり、前記床面から遠い位置にある部材ほど、細孔径が小さくてもよい。
（６）前記（１）〜（５）のいずれか一つに記載の原子炉格納構造において、各々の前記捕集体は、その床面と平行な延在方向において所定の間隔おきに、かつ前記流通方向に平行に貫通するように設置された仕切り板で、分割されていてもよい。
（７）前記（１）〜（６）のいずれか一つに記載の原子炉格納構造において、前記捕集体の開口部の周囲に、前記冷却液の流通方向の下流側に突出する衝立が設けられていてもよい。
【発明の効果】
【０００９】
本発明の原子炉格納構造は、再循環プール室の床面にデブリ捕集装置を備えている。このデブリ捕集装置は、開口部を有し、冷却液を流通させる方向に間隔を空けて設けられた複数の捕集体からなり、隣り合う捕集体の開口部同士が、床面と平行に捕集体の延びる方向にずれて、互いに重ならないように配置されている。そのため、当該デブリ捕集装置は、サンプスクリーン体に向かう過程で乱流状態となった冷却液を、複数の捕集体が並ぶ方向に流れるように、強制的に整流化することができる。
【００１０】
したがって、デブリ捕集装置内に流入したデブリは、各捕集体に対して垂直に衝突することによってそこに捕捉されやすくなり、その結果として、デブリの捕捉効率を向上させることができる。
【００１１】
また、当該デブリ捕集装置では、各捕集体が開口部を有しているため、先に到達したデブリによって詰まっている捕集体がある場合、後に到達したデブリは、自動的に、その捕集体の開口部を通って他の捕集体に向かって流れることができる。これにより、サンプスクリーン体に向かう冷却液の流れを、長く維持することが可能となる。
【図面の簡単な説明】
【００１２】
【図１】（ａ）本発明の第一実施形態に係る原子炉格納構造の縦断面図である。（ｂ）（ａ）の原子炉格納構造の縦断面のうち、サンプスクリーン体の周辺部分を拡大した図である。
【図２】（ａ）本発明の第一実施形態に係る原子炉格納構造の横断面図である。（ｂ）（ａ）の原子炉格納構造の横断面のうち、デブリ捕集装置の周辺部分を拡大した図である。
【図３】（ａ）図２のデブリ捕集装置を拡大した上面図である。（ｂ）（ａ）のデブリ捕集装置の一部分の拡大斜視図である。
【図４】図３の捕集体の変形例である。
【図５】（ａ）図３（ａ）のデブリ捕集装置を構成する捕集体の上面図である。（ｂ）、（ｃ）（ａ）の捕集体の変形例である。
【図６】（ａ）、（ｂ）本発明の第二実施形態に係る原子炉格納構造を構成する、デブリ捕集装置の一部の拡大断面図である。
【発明を実施するための形態】
【００１３】
以下、本発明を適用した実施形態に係る原子炉格納構造について、図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに限定されるものではなく、その要旨を変更しない範囲で適宜変更して実施することが可能である。
【００１４】
＜第一実施形態＞
［原子炉格納構造の構成］
本発明の第一実施形態に係る原子炉格納構造は、加圧水型、沸騰水型のいずれであってもよいが、以下では、加圧水型の構造を例にして説明する。図１（ａ）は、本発明の第一実施形態に係る原子炉格納構造１００の構成を、模式的に示す縦断面図である。図１（ａ）に示すように、原子炉格納構造１００は、主に、原子炉格納容器１０と、再循環ポンプ設備２０と、サンプスクリーン体３０と、デブリ捕集装置４０とを備えている。
【００１５】
原子炉格納容器１０は、原子炉５１が格納される原子炉格納室５０と、原子炉格納室５０の下階に設けられ、冷却液（冷却水）Ｌを貯留する再循環プール室６０（沸騰水型の場合には圧力調整プール室）とを備えている。原子炉格納室５０と再循環プール室６０との境界部分（隔壁）には、開口部７０が形成されており、この開口部７０を介して両者が連通している。再循環プール室の床面（底面）６０Ａには、サンプ６１が設けられている。本実施形態では、サンプ６１が１つ設けられている場合を例示しているが、サンプ６１は２つ以上設けられていてもよい。
【００１６】
本実施形態に係る原子炉格納容器１０は、頂部がドーム状に形成された円筒状の容器であって、原子炉５１の他に、加圧器５２および蒸気発生器５３が格納されている。一次冷却材（軽水）は、この加圧器５２で加圧され、さらに原子炉５１の核分裂反応によって生じた熱エネルギーで加熱される。高温高圧となった一次冷却材は、蒸気発生器５３に送られ、二次冷却材（軽水）を沸騰させる。
【００１７】
原子炉格納容器１０の外部には、タービン５４、発電機５５、および復水器５６が備わっている。タービン５４は、蒸気発生器５３で沸騰した二次冷却材（蒸気）が送られることによって回転し、発電機５５を駆動する。タービン５４を回転させた蒸気は、復水器５６で復水され、二次冷却材となって蒸気発生器５３に送られる。このようにして、二次冷却材（軽水）は、蒸気発生器５３、タービン５４、および復水器５６の間を循環する。
【００１８】
サンプ６１は、図１（ａ）に示すように、再循環プール室の床面６０Ａのうち、原子炉格納室５０側からの平面視において開口部７０と重ならない位置に設けられていることが好ましい。この場合、開口部７０を通って再循環プール室６０に流入した冷却液Ｌが、再循環プール室６０内を通り抜けてサンプ６１に流入することになるため、局所的な滞留の発生を抑えることができる。
【００１９】
再循環ポンプ設備２０は、再循環プール室６０に貯留された冷却液Ｌを、サンプ６１から吸い込んで原子炉格納室５０の上部まで誘導し、そこから原子炉格納室５０内に吐出するように構成されている。具体的な再循環ポンプ設備２０としては、例えば図１（ａ）に示すように、サンプ６１から原子炉格納室５０の天井部にわたって配設された配管２１、配管２１の途中に設けられた循環ポンプ２２、および原子炉格納室５０の天井部に設けられたシャワーノズル２３を備えているものが挙げられる。
【００２０】
再循環プール室６０に貯留された冷却液Ｌは、循環ポンプ２２によりサンプ６１から汲み上げられ、配管２１を通り、シャワーノズル２３から吐出される。そして、シャワーノズル２３から吐出された冷却液Ｌは、原子炉格納室５０に格納された機器を冷却した後に、開口部７０を通って再循環プール室６０に流入する。このようにして、冷却液Ｌは、サンプ６１、配管２１、シャワーノズル２３、原子炉格納室５０、再循環プール室６０の間を循環する。
【００２１】
図１（ｂ）は、図１（ａ）の原子炉格納構造の縦断面図のうち、サンプスクリーン体３０を含む一部分Ｒ１を拡大した図である。サンプスクリーン体３０は、サンプ６１の周りを囲むように設けられた台座３１に設置され、サンプ６１に流入する冷却液Ｌから、それに含まれるデブリを濾しとって分離する機能を有している。
【００２２】
サンプスクリーン体３０は、複数のサンプスクリーン３２から構成されている。複数のサンプスクリーン３２は、それぞれ、開口部をサンプ６１側に向けた箱状に形成され、その側面（４面）とその上面とに、デブリのサイズより小さい孔が複数設けられ、そこから冷却液Ｌが流入できるように構成されている。冷却液Ｌの水位がサンプスクリーン３２の高さを下回る場合には、サンプスクリーン３２の側面のみから冷却液Ｌが流入する。冷却液Ｌの水位がサンプスクリーン３２の高さを上回る場合には、サンプスクリーン４２の側面と上面の両方から冷却液Ｌが流入する。
【００２３】
図２（ａ）は、図１（ａ）のＡ−Ａ‘線で示す位置における、原子炉格納構造１００の横断面図である。サンプスクリーン体３０は、冷却液Ｌの吸込み効率の観点から、複数個所（図２（ａ）では２箇所）に設置することが好ましい。また、サンプスクリーン体３０は、同様の観点から、構造物がなく、冷却液Ｌの流れが加速される領域に設置されていることが好ましい。
【００２４】
図２（ｂ）は、図２（ａ）に示す原子炉格納構造の横断面のうち、デブリ捕集装置４０の周辺部分Ｒ２を拡大した図である。再循環プール室の床面６０Ａにおいて、図２（ｂ）に示すような乱流が発生しやすい複雑な構造物とサンプ６１との間の位置に、デブリ捕集装置４０が設置されている。デブリ捕集装置４０は、サンプ６１に向かって流れる冷却液Ｌからデブリを捕集する機能を有している。デブリ捕集装置４０は、冷却液Ｌの流通経路においてサンプ６１よりも上流側に設置されていることが好ましく、また、流通経路が複数ある場合には、その各々に設置されていることが好ましい。
【００２５】
図３（ａ）は、図２（ｂ）のデブリ捕集装置４０を拡大した図である。デブリ捕集装置４０は、サンプ６１に向かって流れる冷却液Ｌ等の流体の流通方向Ｐ１に交差する方向（好ましくは垂直な方向）に延びるとともに、流通方向Ｐ１に間隔Ｓをあけて複数設けられ、流通方向Ｐ１に貫通する開口部４１Ｈが形成された捕集体４１を備えている。
【００２６】
流通方向Ｐ１において、互いに隣り合う捕集体４１の開口部４１Ｈ同士は、捕集体４１が延びる方向において、再循環プール室の床面６０Ａと平行に、互いにずれて重ならないように形成されている。これにより、冷却液Ｌとともに、流通方向Ｐ１において手前側（上流側）の捕集体４１の開口部４１を通ったデブリは、慣性で直進した後に、必ず奥側（下流側）の捕集体４１に衝突して、そこに捕集（捕捉）されることになる。
【００２７】
各々の捕集体４１は、その床面６０Ａと平行な延在方向Ｐ２において所定の間隔おきに、かつ流通方向Ｐ１に平行に貫通するように設置された仕切り板４２で、分割されていることが好ましい。この場合、分割されたいずれの部分にも、開口部４１Ｈが含まれるものとする。分割によって流通経路が狭まり、捕集体４１の延在方向Ｐ２の流れが減る分、冷却液Ｌをサンプ６１に向かって効率的に流すことができる。
【００２８】
また、各々の捕集体４１の延在方向Ｐ２における片側の端部４１ａ同士が、仕切り板４２に接続され、仕切り板４２を介して互いに連結され、他の片側の端部４１ｂ同士も、同様に連結されていることが好ましい。これにより、デブリ捕集装置４０内の流通過程の冷却液Ｌに対し、デブリ捕集装置４０外のデブリを大量に含んだ冷却液Ｌが、混入するのを防ぐことができる。
【００２９】
図３（ｂ）は、図３（ａ）に示したデブリ捕集装置４０のうち、仕切り板４２で仕切られた一部分４０Ａの拡大斜視図である。ここでは、デブリ捕集装置４０の構造を明示するため、仕切り板４２を透明化している。図３（ｃ）は、図３（ｂ）に示したデブリ捕集装置４０の一部分４０Ａのうち、一端側の捕集体４１Ａとそれに設置された仕切り版４２の上面図である。
【００３０】
図３（ａ）では図示していないが、図３（ｂ）、（ｃ）に示すように、流通方向Ｐ１において下流側を向く面４１ａにおいて、開口部４１Ｈの周りに衝立４３Ａ、４３Ｂが設けられていることが好ましい。衝立４３Ａ、４３Ｂが設けられていることにより、開口部４１Ｈから流入した冷却液Ｌが、側方に回り込むのを抑制し、下流側の捕集体４１に向けて直進するように促すことができる。その結果として、サンプ６１への冷却液Ｌの流通が円滑になるとともに、デブリを効率的に捕集することができる。
【００３１】
なお、開口部４１Ｈが仕切り板４２に近い位置に設置され、仕切り板４２と仕切り板４２に近い方の衝立４３Ａとの距離ｄ１が小さくなる場合には、仕切り板４２が衝立４３Ａの役割を担うことができるため、衝立４３Ａは不要となる。
【００３２】
図４は、変形例に係るデブリ捕集装置の一部分４０Ａの斜視図である。この変形例では、流通方向Ｐ１において、捕集体４１の下流側を向く面だけでなく、上流側を向く面にも衝立４６が設けられている。この衝立４６が設けられていることにより、各段の捕集体４１で一旦捕捉されたデブリが、下流側に向かって流れるのをブロックすることができる。
【００３３】
図５（ａ）は、図３、４のデブリ捕集装置４０を構成する１つの捕集体４１の一部を拡大した上面図である。捕集体４１は、平板状の多孔部材（濾過板、網）で構成されていることが好ましい。この場合の捕集体４１は、その主面４１ａが流通方向Ｐ１に垂直となるように、かつ一端（一辺）が床面６０Ａに接して設置されていることが好ましい。
【００３４】
図１（ｂ）に示すように、設置した際に床面６０Ａと垂直になる方向において、捕集体４１の幅Ｗは、冷却液Ｌの最大水位Ｈより大きいことが好ましい。つまり、捕集体４１は、設置したときの頂部４１Ｔが、想定される冷却液Ｌの液面Ｌ１の位置より高い位置にあることが好ましい。
【００３５】
捕集体４１を構成する多孔部材の材料としては、例えば、ステンレス、アルミ合金材等が挙げられる。
【００３６】
捕集体４１を構成する多孔部材として、図５（ａ）では規則的に並んだ細孔を有する網状の部材を例示しているが、細孔の並び方について限定されることはなく、例えば複数の繊維状の部材が複雑に入り組んだ構造であってもよい。
【００３７】
また、図５（ａ）では、多孔部材を構成する細孔が格子状となっている例を示しているが、細孔の形状について限定されることはない。
【００３８】
図５（ｂ）は、図５（ａ）に示した捕集体４１の一変形例に係る、捕集体４４の上面図である。捕集体４４は、平板状の多孔部材を、厚さ方向に複数重ねてなる。この場合、重ねる枚数を変えることによって、捕集体としての厚みを自在に変えることができるため、局所的に、冷却液Ｌ、デブリが受ける抵抗の大きさを変えることができる。また、床面６０Ａの設置スペースに応じて厚さを自在に調整することができる。
【００３９】
図５（ｃ）は、図５（ａ）に示した捕集体４１の他の変形例に係る、捕集体４５の上面図である。捕集体４５は、籠等の中空の多孔部材で構成されている。この場合、例えば捕集体４５を設置したい箇所に、柱等の移動させにくい構造物があっても、その構造物が中空部分に収まるようにして設置することが可能であり、捕集体４５の設置個所をずらす必要がない。なお、捕集体４５の中空部分は、開口部４５Ｈに連通しないように閉じた構造である必要がある。
【００４０】
本実施形態に係る原子炉格納構造１００は、再循環プール室の床面６０Ａにデブリ捕集装置４０を備えている。このデブリ捕集装置４０は、開口部４１Ｈを有し、冷却液Ｌを流通させる方向に間隔を空けて設けられた複数の捕集体４１からなり、隣り合う捕集体４１の開口部４１Ｈ同士が、床面６０Ａと平行に捕集体４１の延びる方向にずれて、互いに重ならないように配置されている。そのため、当該デブリ捕集装置４０は、サンプスクリーン体３０に向かう過程で乱流状態となった冷却液を、複数の捕集体が並ぶ方向に流れるように、強制的に整流化することができる。
【００４１】
したがって、デブリ捕集装置内４０に流入したデブリＤは、各捕集体４１に対して垂直に衝突することによってそこに捕捉されやすくなり、その結果として、デブリＤの捕捉効率を向上させることができる。
【００４２】
また、当該デブリ捕集装置４０では、各捕集体が開口部４１Ｈを有しているため、先に到達したデブリＤによって詰まっている捕集体４１がある場合、後に到達したデブリＤは、自動的に、その捕集体４１の開口部４１Ｈを通って他の捕集体４１に向かって流れることができる。これにより、サンプスクリーン体３０に向かう冷却液Ｌの流れを、長く維持することが可能となる。
【００４３】
＜第二実施形態＞
図６（ａ）は、第二実施形態に係る原子炉格納構造において、再循環プール室の床面６０Ａに設置したデブリ捕集装置を構成する、１つの捕集体１４１の側面図である。捕集体１４１は、床面６０Ａと垂直な方向に２つの多孔部材１４１Ａ、１４１Ｂを連結してなる。２つの多孔部材１４１Ａ、１４１Ｂのうち、床面６０Ａから遠い位置にある多孔部材１４１Ａの細孔径は、近い位置にある多孔部材１４１Ｂの細孔径より小さい。
【００４４】
多孔部材１４１Ａは細孔径が小さいため、軽くて冷却液Ｌの液面Ｌ１に近い側に集中して分布する、サイズの小さいデブリＤ１１を捕集するのに適している。また、部材１４１Ｂは細孔径が大きいため、重くて床面６０Ａに近い側に集中して分布する、サイズの大きいデブリＤ１２を捕集するのに適している。
【００４５】
通常は、全ての細孔径の大きさを小さいデブリのサイズに合わせた多孔部材が用いられるが、本実施形態では床面６０Ａ側の多孔部材１４１Ｂの細孔径を大きくしている分、冷却液Ｌに対する流動抵抗を低減させることができる。
【００４６】
図６（ｂ）は、第二実施形態の変形例に係る原子炉格納構造において、再循環プール室の床面６０Ａに設置したデブリ捕集装置を構成する、１つの捕集体２４１の側面図である。多孔部材２４１は、床面６０Ａと垂直な方向に３つの多孔部材２４１Ａ、２４１Ｂ、２４１Ｃを連結してなる。これらの多孔部材は、互いに異なる大きさの細孔径を有しており、多孔部材２４１Ｃ、多孔部材２４１Ｂ、多孔部材２４１Ａの順に小さくなっている。
【００４７】
液面Ｌ１側と床面６０Ａ側の間の位置に分布するデブリに合わせた、中間のサイズの細孔径の部材を設けることにより、図６（ａ）の多孔部材１４１に比べて細孔径の大きい領域が増加し、その分、冷却液Ｌに対する流動抵抗をさらに低減させることができる。
【００４８】
図６（ａ）、（ｂ）では、捕集体が２つの多孔部材を連結してなる場合、３つの多孔部材を連結してなる場合について例示しているが、４つ以上の複数の多孔部材を連結してなる場合であっても、床面から遠い位置にある多孔部材ほど、細孔径が小さくなっていればよい。
【符号の説明】
【００４９】
１００・・・原子炉格納構造
１４１Ａ、１４１Ｂ、２４１Ａ、２４１Ｂ、２４１Ｃ・・・多孔部材
１０・・・原子炉格納容器
２０・・・再循環ポンプ設備
２１・・・配管
２２・・・循環ポンプ
２３・・・シャワーノズル
３０・・・サンプスクリーン体
３１・・・台座
３２・・・サンプスクリーン
４０・・・デブリ捕集装置
４１、１４１、２４１・・・捕集体
４１ａ、４１ｂ・・・端部
４１Ｈ・・・開口部
４２・・・仕切り板
４３Ａ、４３Ｂ、４６・・・衝立
５０・・・原子炉格納室
５１・・・原子炉
５２・・・加圧器
５３・・・蒸気発生器
５４・・・タービン
５５・・・発電機
５６・・・復水器
６０・・・再循環プール室
６０Ａ・・・床面
６１・・・サンプ
７０・・・開口部
Ｄ、Ｄ１１、Ｄ１２、Ｄ２１、Ｄ２２、Ｄ２３・・・デブリ
Ｌ・・・冷却液
Ｌ１・・・液面
Ｐ１・・・冷却液の流通方向
Ｐ２・・・捕集体の延在方向
Ｒ１・・・サンプスクリーン体の周辺部分
Ｒ２・・・デブリ捕集装置の周辺部分
Ｓ・・・捕集体同士の間隔
【図１】
2018205017.tif 000003
【図２】
2018205017.tif 000004
【図３】
2018205017.tif 000005
【図４】
2018205017.tif 000006
【図５】
2018205017.tif 000007
【図６】
2018205017.tif 000008